(57)【要約】【課題】衝撃緩和性を備えて、排水性も良く、耐久性も良い人工芝及び人工芝製運動競技場を提供する。【解決手段】基布２３より人工芝葉２１を間隔を置いて上方へ突出させ、人工芝葉２１の間に充填物を充填する構成とした人工芝２であって、充填物の上部をヤシ殻充填層２２により構成し、ヤシ殻充填層２２は、ヤシ殻の乾燥した成分と、ヤシ殻を炭化させたヤシ殻活性炭Ｄを混合した充填物とした。また、前記充填物のうち下部の充填層を珪砂とし、上部の充填層をヤシ殻充填層により構成した。【選択図】図１
2020118028.tif 000002
【特許請求の範囲】
【請求項１】
基布より人工芝葉を間隔を置いて上方へ突出させ、前記人工芝葉の間に充填物を充填するように構成した人工芝であって、
前記充填物の上層部をヤシ殻充填層により構成し、
前記ヤシ殻充填層は、ヤシ殻を乾燥した成分と、ヤシ殻を炭化させたヤシ殻活性炭を混合した充填物により構成した
ことを特徴とする人工芝。
【請求項２】
請求項１に記載の人工芝において、
ヤシ殻の乾燥した成分は、粉末とチップと繊維を乾燥時には分離し、施工時において、前記乾燥した成分を再度混合する
ことを特徴とする人工芝。
【請求項３】
請求項１に記載の人工芝において、
ヤシ殻の乾燥した成分は、ヤシ殻を構成する部分において、中果皮と外果皮の部分を選別して取り出し、粉末とチップと繊維とにより構成した
ことを特徴とする人工芝。
【請求項４】
請求項１に記載の人工芝において、
ヤシ殻活性炭は、ヤシ殻の中の、内果皮の部分を取り出して焼成し炭化させた
ことを特徴とする人工芝。
【請求項５】
請求項１に記載の人工芝において、
前記充填物のうち下部の充填層を珪砂とし、上部の充填層をヤシ殻充填層により構成した
ことを特徴とする人工芝。
【請求項６】
請求項５に記載の人工芝において、
ヤシ殻充填層と珪砂の間にゴムチップ層を介装した
ことを特徴とする人工芝。
【請求項７】
請求項１に記載の人工芝において、
前記充填物の上部を、前記ヤシ殻充填層と、コルクチップから構成されるコルクチップ充填層とを含む構成とした
ことを特徴とする人工芝。
【請求項８】
基布より人工芝葉を間隔を置いて上方へ突出させ、前記人工芝葉の間に充填物を充填するように構成した人工芝であって、
前記充填物の上層部をヤシ殻−コルクチップ混合充填層により構成し、
前記ヤシ殻−コルクチップ混合充填層は、ヤシ殻を乾燥した成分と、ヤシ殻を炭化させたヤシ殻活性炭と、コルクチップとを混合した充填物により構成した
ことを特徴とする人工芝。
【請求項９】
請求項１から請求項８のいずれか一項に記載の人工芝を基礎層の上に敷設して構成する人工芝製運動競技場。
【発明の詳細な説明】
【技術分野】
【０００１】
本発明は、充填層の充填物としてヤシ殻を使用し、充填層を有機天然材により構成した人工芝および人工芝製運動競技場に関する。
【背景技術】
【０００２】
従来、人工芝製運動競技場は、人工芝を砕石舗装等の基礎層の上に敷くことにより施工・造成するものであるが、従来の人工芝製運動競技場は、次のような不具合が発生していたのである。
【０００３】
即ち、従来の人工芝製運動競技場は、そのクッション性を担保するために、天然芝では土にあたる部分を、他の素材を転用した充填材として、芝の目の間に詰めていく必要があった。そして、日本及びその他諸外国では、古タイヤを粉砕した黒ゴムチップを、充填材として使用していたのである。
【０００４】
多くの改良点や改善要望がユーザーからありながらも、特段の理由もなく、黒ゴムチップの使用が、当たり前として認識されていたのである。このような状況において、黒ゴムチップの発がん性が疑われることとなり、それをきっかけに、黒ゴムチップのネガティブな面が大きくクローズアップされてきたのである。
【０００５】
黒ゴムチップにより靴やボールなどが汚れ、さらに汚れが落ちにくく、真夏では温度が７０℃に達するなど、高温となり熱中症の誘発の可能性があることが問題視されてきた。
また、上記の問題を解決する充填材として、従来にも、ヤシ殻は使用されていたが、性能面において改善の余地があった。
【先行技術文献】
【特許文献】
【０００６】
【特許文献１】特開昭６２−６３７０１号公報
【特許文献２】特開２０１８−１１５４５０号公報
【特許文献３】特開２０１８−１２３５２３号公報
【発明の概要】
【発明が解決しようとする課題】
【０００７】
本発明においては、人工芝製運動競技場に敷設される人工芝において、充填剤としてヤシ殻を構成する内果皮や中果皮や外果皮の全てを１００％使用し、有機天然素材により構成したものである。即ち、該ヤシ殻充填層は、ヤシ殻を乾燥した成分と、ヤシ殻を炭化させたヤシ殻活性炭を混合した充填物により構成したものである。
【０００８】
また、ヤシ殻の乾燥した成分は、粉末とチップと繊維により構成したものである。また、ヤシ殻の乾燥した成分は、粉末とチップと繊維とを、乾燥時においては分離し、施工時においては、該乾燥した成分を再度混合することにより構成したものである。これらのヤシ殻構成成分のブレンドにより、天然素材であるヤシ殻が、人工芝製運動競技場の温度上昇を抑制し、夏場の人工芝製運動競技場の不快な暑さを抑制するものである。
【０００９】
また、細かい繊維が人工芝製運動競技場に降った雨水等の必要な水分を保水確保し、ヤシ殻の粗い繊維は余分な水分を排水し、ヤシ殻活性炭は、防臭・抗菌の効果をも発揮するのである。また、これらの作用により人工芝製運動競技場を常にベストな状態に保ち、快適なプレーの環境を整えることができるのである。
【００１０】
そして、人工芝製運動競技場におけるプレイヤーは自身のプレーに專念することができて、チームのパーフォーマンスのみに集中できるようになるのである。また、ヤシ殻は、プランテーションで収穫されたヤシの実の殻だけを使用しているので、環境保護の面からしても、無駄な森林伐採が一切なく、地球環境への負荷が少ないエコロジーな人工芝製運動競技場及びその施工方法となるのである。
【００１１】
また、材料が１００％天撚有機質素材であり、添加物は一切含んでいないので、プレイヤーの人体に対して悪影響を与えることがなく、健康上からも安全な素材となっているのである。また、施工後の降雨などで水分を含んだ後は、ヤシ殻により構成した充填材が、人工芝に絡み付くために保水し、雨水と共に流れ出すことが少なく、排水管等を詰まらせるリスクを軽減することができるのである。もし仮に充填材が下水道に流れ出したとしても、公害の原因となることもないのである。
【００１２】
また、ヤシ殻製の充填材は、クッション性やボールバウンド性の面においても良好であり、プレー感は天然芝に極めて近いものとなる。また、ヤシ殻は腐食等による劣化が遅いので、多くの効果効用を長時間持続させることができるのである。
【００１３】
また、ヤシ殻製の充填材に、さらに同じく１００％天然有機質素材であるコルクチップを混合することにより、コルクチップの熱伝導率が極めて低い特性を備えつつ、ヤシ殻活性炭の保水性を備えた人工芝が提供できるのである。このような人工芝を敷設することで、コルクチップの熱伝導率が極めて低い特性を利用して、夏場の人工芝製運動競技場の不快な暑さを効果的に抑制するものである。また、ヤシ殻よりも衝撃吸収性に優れたコルクチップを混合することにより、クッション性やボールバウンド性の面においてもさらに良好となり、プレー感が向上する。また、ヤシ殻活性炭とコルクチップを混合することにより、コルクチップのみを充填した場合と比べて保水性が向上する。これにより、乾いたコルクチップ同士で発生しやすい静電気による浮き上がりを防止することができるのである。
【課題を解決するための手段】
【００１４】
次に、上記課題を解決するための手段について説明する。
【００１５】
請求項１においては、基布２３より人工芝葉２１を間隔を置いて上方へ突出させ、前記人工芝葉２１の間に充填物を充填する構成した人工芝であって、前記充填物の上部をヤシ殻充填層２２により構成し、前記ヤシ殻充填層２２は、ヤシ殻の乾燥した成分と、ヤシ殻を炭化させたヤシ殻活性炭Ｄを混合した充填物としたものである。
【００１６】
請求項２においては、請求項１記載の人工芝において、ヤシ殻の乾燥した成分は、粉末ＣとチップＥと繊維Ａ・・を乾燥時には分離し、施工時において、前記分離した成分を再度混合するものである。
【００１７】
請求項３においては、請求項１記載の人工芝において、ヤシ殻の乾燥した成分は、ヤシ殻Ｙを構成する部分において、中果皮Ｎと外果皮Ｔの部分を選別して取り出し、粉末ＣとチップＥと繊維Ａ・・とにより構成したものである。
【００１８】
請求項４においては、請求項１記載の人工芝において、ヤシ殻活性炭Ｄは、ヤシ殻Ｙの中の、内果皮Ｓの部分を取り出して焼成し炭化させたものである。
【００１９】
請求項５においては、請求項１に記載の人工芝において、前記充填物のうち下部の充填層を珪砂２５とし、上部充填層をヤシ殻充填層２２により構成したものである。
【００２０】
請求項６においては、請求項５記載の人工芝において、ヤシ殻充填層２２と珪砂２５の間にゴムチップ層２４を介装したものである。
【００２１】
請求項７においては、請求項１に記載の人工芝において、前記充填物の上部を、前記ヤシ殻充填層と、コルクチップから構成されるコルクチップ充填層とを含む構成としたものである。
【００２２】
請求項８においては、基布より人工芝葉を間隔を置いて上方へ突出させ、前記人工芝葉の間に充填物を充填するように構成した人工芝であって、
前記充填物の上層部をヤシ殻−コルクチップ混合充填層により構成し、
前記ヤシ殻−コルクチップ混合充填層は、ヤシ殻を乾燥した成分と、ヤシ殻を炭化させたヤシ殻活性炭と、コルクチップとを混合した充填物により構成したものである。
【００２３】
請求項９においては、請求項１から請求項８のいずれか一項に記載の人工芝を基礎層の上に敷設して構成する人工芝製運動競技場である。
【発明の効果】
【００２４】
本発明は、次のような効果を奏するものである。
【００２５】
まず、ヤシ殻充填層２２には雨水が長時間保水されるので、長時間にわたり蒸発作用が行われ、気化熱が冷却機構として作用し真夏日の人工芝製運動競技場の温度上昇を抑制する効果がある。従来のゴムチップ仕様の人工芝製運動競技場においては、表面の温度が約７０℃であったが、本発明の人工芝製運動競技場においては、表面の温度が４５℃前後となっているのである。
【００２６】
次に、ヤシ殻充填層がクッション機構として、適度なクッション性を持ち、競技者の膝や腰への負担を軽減する効果がある。また、ボールバウンドなど、使用感は天然芝に極めて近いものにする効果がある。
【００２７】
また、排水、保水、防臭、抗菌機構として、繊維の中の細かい繊維が必要な水分を確保し、粗い繊維は余分な水分を排水することができるのである。また、適度にブレンドされたヤシ活性炭は防臭、抗菌に作用する効果があり、従来から使用されてきたヤシ殻製の充填材に比べて機能面で優れているのである。
【００２８】
また、ヤシ殻充填層が塩水を濾過するので、塩害予防機構として作用し、水による洗浄を実施するため、施設建造物への塩害を防止する効果がある。また、ヤシ製品であるヤシ殻充填層は、腐食などの劣化が遅く、多くの効果効能が長く持続するのである。
【００２９】
また、１００％有機質天然素材であるため、公害リスクを軽減して作用し、仮に下水道に流れ出したとしても公害になることがないのである。
【００３０】
また、ヤシ殻製の充填材に、さらに同じく１００％天然有機質素材であるコルクチップを混合することにより、コルクチップの熱伝導率が極めて低い特性を備えつつ、ヤシ殻活性炭の保水性を備えた人工芝が提供できるのである。
【図面の簡単な説明】
【００３１】
【図１】人工芝製運動競技場の第一実施例を示す側面断面図である。
【図２】人工芝製運動競技場の第二実施例を示す側面断面図である。
【図３】人工芝のヤシ殻充填層の材料となるヤシ殻の断面図である。
【図４】人工芝製運動競技場の第三実施例を示す側面断面図である。
【図５】人工芝製運動競技場の第四実施例を示す側面断面図である。
【発明を実施するための形態】
【００３２】
ヤシ殻を充填層２２として人工芝葉２１の間に充填する人工芝製運動競技場について説明する。
【００３３】
図１は、人工芝製運動競技場の第一実施例を示す側面断面図である。人工芝製運動競技場においては、人工芝２を支持するための基礎層１として、砕石舗装を施工している。また、該基礎層１は一般的なコンクリート舗装であってもよい。
【００３４】
該基礎層１の表面に人工芝２を敷設・施工するのである。人工芝製運動競技場を構成する人工芝２は、第一実施例においては、下から順番に、基礎層１の上に、基布２３と、珪砂２５と、ヤシ殻充填層２２が層積みされており、その間に基布２３に縫込み固定された人工芝葉２１が突出されている。
【００３５】
該人工芝葉２１は基布２３に対して列状に間隔を置いて縫込み固定されている。該人工芝葉２１の条の間隔は約１５ｍｍ程度である。そして、該１条に沿って約１０本の単位人口芝葉２１が、一束としてまとめて５ｍｍから８ｍｍの間隔を置いて株状に突出し、全体として人工芝葉２１を構成している。
【００３６】
人工芝２は、人工芝葉２１どうしが良く絡み合うので、人工芝葉２１の芝目が常に立っている。強く復元性のある形状をした人工芝となるように、前記人工芝葉２１の条の間隔と、株の間隔を構成している。このように構成した基布２３の上の人工芝葉２１の間に、図１に示す如く、下層に珪砂２５を充填し、その上にヤシ殻充填層２２を充填しているのである。
【００３７】
特に、珪砂２５やヤシ殻充填層２２が、人工芝葉２１の芝の目に入って行き易いように、縫い目のピッチや本数、間隔などをも工夫しているのである。また、水の浸透性なども考慮して、基布２３のコーティングや、基布２３に間隔を置いて開口している直径３乃至６ｍｍほどの水抜き穴の数、位置などをも構成しているのである。
【００３８】
第一実施例においては、図示する如く基礎層１の上に直接的に人工芝２の基布２３を載置している。基布２３のうえに珪砂２５の層を２０乃至２５ｍｍにわたり層積みしている。さらにその上に２５乃至３０ｍｍにわたりヤシ殻充填層２２を層積みしている。そして、該ヤシ殻充填層２２の上面から人工芝葉２１の上端が５乃至１０ｍｍ程度が突出するように充填されているのである。
【００３９】
この構成は、日本サッカー協会の認定を受けることも可能な人工芝製運動競技場及びその施工方法に構成されているのである。図２は、人工芝製運動競技場の第二実施例を示す側面断面図である。図２においては、充填層としてクッション性がさらに要求される場合の人工芝製運動競技場の構成を開示している。
【００４０】
第二実施例の場合には、珪砂２５の充填層とヤシ殻充填層２２の充填層の間にゴムチップ層２４の充填層を介装している。珪砂２５の層は２０乃至２５ｍｍ程度と、第一実施例の場合と同じであるが、ヤシ殻充填層２２の層を１２．５乃至１５ｍｍとして、ゴムチップ層２４を１２．５乃至１５ｍｍとして、第一実施例のヤシ殻充填層２２の半分をゴムチップ層２４としている。
【００４１】
ヤシ殻を充填層２２として人工芝葉２１の間に充填する人工芝製運動競技場である。そして、ヤシ殻充填層２２は、ヤシ殻成分の中の乾燥した成分と、ヤシ殻成分を焼成したヤシ殻活性炭Ｄをブレンドしたものである。ヤシ殻を乾燥した成分は、粉末Ｃと、チップＥと短い繊維Аと、長い繊維Ｂから構成されている。ヤシ殻活性炭Ｄはヤシ殻の内果皮Ｓ(シェル)の部分を１２時間程度加熱処理して炭化し炭にしたものである。
【００４２】
次に、ヤシ殻充填層２２を構成する部材の製造工程を説明する。図３は、ヤシ殻充填層２２の主要な原材料となるヤシ殻の断面図である。ヤシ殻Ｙは外側から順に、外果皮Ｔ、中果皮Ｎ、内果皮Ｓにより構成されており、内果皮Ｓはシェルとも呼ばれ、その内部にヤシ樹液が封じ込められている。ヤシ殻充填層２２は、内果皮Ｓの内部のヤシ樹液を抜いた後に、さらにヤシ殻の部分からヤシ油を搾油もした後の廃棄物であるヤシ殻Ｙを原料とするのである。
【００４３】
［粉末と長繊維の分離］
山岳地のヤシ畑で生産されたヤシの実のみを原料として採取し、ヤシの実からヤシ樹液と内果皮Ｓ（シェル）を取り除いた後に、中果皮Ｎと外果皮Ｔを繊維に沿って縦に２〜３分割し、約３ヶ月間水に漬けて柔らかくし、長い繊維Ｂを掻き取り易くする。
【００４４】
円筒型の回転体に剣山状に鋲をつけた繊維掻き取り機を回転させ、水を含み柔らかくなった中果皮Ｎを、その繊維に対して縦方向に鋲に押し付け、太い長い繊維Ｂから粉末Ｃ状の中果皮Ｎと、細かいチップＥを取り出す。即ち、固形上の中果皮Ｎの部位、及び短い繊維Аを掻き取り、分離するのである。
【００４５】
その後、約３年間野積みし、天日乾燥、及び年２回の雨季によるアク抜き後、目の粗い回転式篩い機に投入し、粉末Ｃと短い繊維Аを落下させ、残った長い繊維Ｂを取り除く。
【００４６】
［篩い掛け・水洗い洗浄・乾燥］
上記で篩い分けした粉末Ｃには、細い繊維が残っているため、目の細い回転式篩い機で長い繊維Ｂと粉末Ｃを分離させる。但し、この状態の粉末Ｃは濡れている状態で完全には長い繊維Ｂを取り除くことはできないが、乾燥効率を高めるために予め短い繊維Аを、あらかた取り除く前処理６を行う。長い繊維Ｂを取り除いた粉末Ｃを、水洗い洗浄し、２４時間真水に漬け込み、その後、水分を絞った原料をコンクリート敷きの乾燥場に敷きレーキで攪拌しながら天日乾燥する。
【００４７】
［再篩い掛け］
上記で篩った粉末Ｃ（ヤシ中果皮Ｎ部位）、細かいチップＥ（固形のヤシ殻中果皮Ｎ部位）と、短い繊維Аが混ざった原料を、天日乾燥後、前記の処理で取り切れなかった長い繊維Ｂを、８ｍｍ目の細い振動篩い機でさらに取り除く。
【００４８】
［ヤシ殻炭と混ぜる］
最初に取り除いたヤシの内果皮Ｓ（シェル）を、１２時間熱処理し、炭に加工してヤシ殻活性炭Ｄとする。該ヤシ殻活性炭Ｄを粉砕処理しながら、３ｍｍの網で篩を掛けて、約３ｍｍのヤシ殻炭を製造する。
【００４９】
前記において篩い分けした、粉末ＣとチップＥと短い繊維Аと長い繊維Ｂが混ざった原料に対し、ヤシ殻活性炭Ｄを約２０％（使用状況により配合割合は調整する）投入し、よく撹拌する。
【００５０】
このようにして製造したヤシ殻活性炭Ｄは、内果皮Ｓを取り出して、炭化及び賦活工程処理によって０．８ｎｍ以下のサブミクロ孔、０．８〜２ｎｍのミクロ孔、２〜５０ｎｍのメソ孔、５０ｎｍ以上のマクロ孔をもつ炭素となる。この細孔はヤシ殻活性炭Ｄの内部で網目状に存在し、比表面積が非常に大きくなり、様々な物質を吸着するのである。
【００５１】
ヤシ殻活性炭Ｄは上記の性質により、臭いを吸い取る脱臭作用、空気や水や油等を浄化する浄化作用、空気中の水分を調湿する調湿作用を行うのである。その他に、静電気除去や、電磁波吸収、遠赤外線放射等の作用も行うのである。これらの作用により前述した人工芝製運動競技場に対する効果を奏することができるのである．とくに、ヤシ殻活性炭Ｄが、ヤシ殻充填層２２を構成する成分の中で、重量比率において１０〜３０％であると、従来のヤシ殻製の充填材に比べて、ヤシ殻活性炭Ｄに基づく脱臭作用等の効果が顕著に得られて好ましい。
【００５２】
次に、本発明のヤシ殻充填層２２を構成する主たる成分の大きさと、それらの体積比率の最適な数値は次のとおりである。
粉末Ｃ          ：  １−８ｍｍ、  ４０％
チップＥ        ：  １−５ｍｍ、  １０％
短い繊維А      ：  １−３ｍｍ、  １５％
長い繊維Ｂ      ：  １−８ｍｍ、  １５％
ヤシ殻活性炭Ｄ  ：  ３ｍｍ、      ２０％
また、重量比率は以下のとおりである。
粉末Ｃ          ：  １−８ｍｍ、６０％
チップＥ        ：  １−５ｍｍ、  ４％
短い繊維А      ：  １−３ｍｍ、  ３％
長い繊維Ｂ      ：  １−８ｍｍ、  ３％
ヤシ殻活性炭Ｄ  ：  ３ｍｍ、    ３０％
【００５３】
［圧縮ポリ袋包装］
次に、原料のヤシ殻成分の、篩掛けの状況を検査し、圧縮包装機のホッパーに投入する。ホッパーに投入された原料は、予めポリ袋が装填されている圧縮包装機の圧縮チューブにスクリューコンベアーで投入され、ポリ袋内で圧縮される。ポリ袋の開口部をヒートシーラーで留め圧縮機から取り出しコンテナに積み出荷する。
【００５４】
次に、本発明の基本的な施工工程について説明する。まず、砕石舗装の基礎層１の上に人工芝２を載置する。次に、人工芝２を構成する人工芝葉２１の間に、珪砂２５を充填する。珪砂２５の充填作業は、大型のタンクと開閉シャッターを具備し、トラクターで牽引される散布充填機により行う。そして、人工芝葉２１の間に充填した珪砂２５の表面をブラッシングしてならす。ブラッシング施工はトラクターにより牽引する牽引型のブラシにより行う。該ブラシは鉄板の下面に人工芝葉２１の条列に合致するように突起を突出した構成となっている。
【００５５】
珪砂２５をブラッシングして人工芝葉２１の間に押し込んだ後に、さらにヤシ殻充填層２２を充填する。ヤシ殻充填層２２の充填作業は大型のタンクと開閉シャッターを具備し、トラクターで牽引される散布充填機により行う。該ヤシ殻充填層２２の充填後に、前記した牽引型のブラシによりヤシ殻充填層２２の表面をブラッシングして、ヤシ殻充填層２２を人工芝葉２１の間に押し込みを行う。第二実施例の場合には、ゴムチップ層２４の充填とブラッシング施工を追加するものである。
【００５６】
また、第三実施例においては、図示する如く基礎層１の上に直接的に人工芝２の基布２３を載置している。基布２３のうえに珪砂２５の層を１０乃至１５ｍｍにわたり層積みしている。さらにその上に、１０乃至１５ｍｍにわたりコルクチップ充填層２６を層積みしている。さらにその上に１０乃至１５ｍｍにわたりヤシ殻充填層２２を層積みしている。コルクチップ充填層２６は、コルクチップFが充填されている。コルクチップＦは、コルクガシの樹皮を剥離して加工した粉粒であり、弾力性に富み空気を豊富に含む。また、ヤシ殻充填層２２は、粉末Ｃと、チップＥと短い繊維Аと、長い繊維Ｂから構成されるヤシ殻成分の中の乾燥した成分と、ヤシ殻成分を焼成したヤシ殻活性炭Ｄをブレンドしたもので構成されている。そして、ヤシ殻充填層２２の上面から人工芝葉２１の上端が２０乃至３０ｍｍ程度が突出するように充填されているのである。
【００５７】
ヤシ殻活性炭Ｄは臭いを吸い取る脱臭作用、空気や水や油等を浄化する浄化作用、空気中の水分を調湿する調湿作用を行うのである。また、コルクチップ充填層２６のコルクチップFは、ガスのような空気を含んだ独特の細胞構造により、熱伝導率が極めて低く、衝撃吸収性、耐水性、温度上昇の抑制に優れている。
これらの作用により前述した人工芝製運動競技場に対する効果を奏することができるのである。
【００５８】
また、第四実施例においては、図示する如く基礎層１の上に直接的に人工芝２の基布２３を載置している。基布２３の上に珪砂２５の層を１０乃至１５ｍｍにわたり層積みしている。さらにその上に１０乃至１５ｍｍにわたりヤシ殻−コルクチップ混合充填層２７を層積みしている。ヤシ殻−コルクチップ混合充填層２７には、ヤシ殻由来の成分の他に、コルクチップＦが混合されている。ヤシ殻−コルクチップ混合充填層２７において、粉末Ｃと、チップＥと短い繊維Аと、長い繊維Ｂから構成されるヤシ殻成分の中の乾燥した成分と、ヤシ殻成分を焼成したヤシ殻活性炭Ｄと、コルクチップFとを混合している。コルクチップＦは、コルクガシの樹皮を剥離して加工した粉粒であり、弾力性に富み空気を豊富に含む。そして、該ヤシ殻−コルクチップ混合充填層２７の上面から人工芝葉２１の上端が２０乃至３０ｍｍ程度が突出するように充填されているのである。
【００５９】
次に、本発明のヤシ殻−コルクチップ混合充填層２７を構成する主たる成分の大きさと、それらの重量比率の最適な数値は次のとおりである。
ヤシ殻：コルクチップ＝１：２
また、ヤシ殻とコルクチップそれぞれの粒径は次のとおりである。
ヤシ殻          ：  １−８ｍｍ
コルクチップ    ：  １−２ｍｍ
【００６０】
ヤシ殻活性炭Ｄは臭いを吸い取る脱臭作用、空気や水や油等を浄化する浄化作用、空気中の水分を調湿する調湿作用を行うのである。また、コルクチップＦは、ガスのような空気を含んだ独特の細胞構造により、熱伝導率が極めて低く、衝撃吸収性、耐水性、温度上昇の抑制に優れている。一方、コルク単体で充填物を構成した場合には、乾いたコルクチップ同士の接触で静電気が発生し、当該静電気によってコルクチップＦが人工芝から浮き上がりやすくなるという問題があった。そこで、ヤシ殻素材、とくに粉末ＣやチップＥにおける保水性を利用することで、コルクチップを適度に保湿し、静電気の発生を起こり難くすることで浮き上がりを防止することができるのである。
これらの作用により前述した人工芝製運動競技場に対する効果を奏することができるのである。
【産業上の利用可能性】
【００６１】
本発明の人工芝製運動競技場は、ヤシ殻充填層２２が人工芝葉２１の目に入っていきやすいように、基布２３に対する人工芝葉２１の縫い目のピッチや本数、間隔などを開発し、水の浸透性なども考慮した基布のコーティングや、水抜き穴の数、位置などを調整して、ヤシ殻充填層２２の人工芝葉２１がよく絡みあい、芝目が常に立っているので、強く復元性のある特殊な形状をした人工芝とすることができたのである。これにより、サッカー、ラグビー、アメリカンフットボール、野球等のグラウンドとして利用することができるのである。
【符号の説明】
【００６２】
１  基礎層
２  人工芝
２１  人工芝葉
２２  ヤシ殻充填層
２３  基布
２４  ゴムチップ
２５  珪砂
２６  コルクチップ層
２７  ヤシ殻−コルクチップ混合充填層
Ａ  短い繊維
Ｂ  長い繊維
Ｃ  粉末
Ｄ  ヤシ殻活性炭
Ｅ  細かいチップ
Ｆ  コルクチップ
Ｙ  ヤシ殻
Ｔ  外果皮
Ｎ  中果皮
Ｓ  内果皮
【図１】
2020118028.tif 000003
【図２】
2020118028.tif 000004
【図３】
2020118028.tif 000005
【図４】
2020118028.tif 000006
【図５】
2020118028.tif 000007